【事件の表示】
　特許第３０９３３７０号「画像処理システム」の請求項１、２、５に係る特許に対する特許異議の申立てについて、次のとおり決定する。
【結　論】
　訂正を認める。
　特許第３０９３３７０号の請求項１ないし２、５に係る特許を取り消す。
【理　由】
１．手続の経緯
　本件特許第３０９３３７０号に係る出願は、平成３年１０月２４日に出願されたものであって、平成１２年７月２８日に特許の設定登録がされ、その後、その特許請求の範囲の請求項１、２、５に係る発明について、異議申立人溝呂木寛により特許異議の申立がなされ、取消理由通知がなされ、その指定期間内である平成１３年８月３０日に訂正請求がなされたものである。
　
２．訂正の適否についての判断
（１） 訂正の内容
　訂正事項ａ
　明細書における特許請求の範囲の請求項１を以下のとおりに訂正する（下線部が訂正箇所）。
「カラー画像を入力する入力手段
を有し、シート上に画像を形成する画像形成装置を制御可能な画像処理システムであって、
オペレータの選択に従って
前記画像形成装置により像形成させること無く
前記画像形成装置により像形成させること無く
前記選択手段によりカラー画像及び白黒画像の選択がなされ前記表示制御手段により
させた
前記
　
　訂正事項ｂ
　明細書における特許請求の範囲の請求項５を以下のとおりに訂正する（下線部が訂正箇所）。
「カラー画像を入力する入力手段と、入力されたカラー画像を白黒画像に変換する変換手段とを有す
るものであって、シート上に画像を形成する画像形成装置を制御可能な
オペレータの選択に従って
前記画像形成装置により像形成させること無く
前記画像形成装置により像形成させること無く
カラー画像及び白黒画像の選択がなされ
させた
前記
　
　訂正事項ｃ
　明細書の詳細な説明中の段落【００１１】を以下のとおりに訂正する（下線部が訂正箇所）。
「【課題を解決するための手段】上記目的を達成するため、本発明は、カラー画像を入力する入力手段
を有し、シート上に画像を形成する画像形成装置を制御可能な画像処理システムであって、
オペレータの選択に従って
前記画像形成装置により像形成させること無く
前記画像形成装置により像形成させること無く
前記選択手段によりカラー画像及び白黒画像の選択がなされ前記表示制御手段により
させた
前記
　
　訂正事項ｄ
　明細書の詳細な説明中の段落【００８８】の一部を以下の通りに訂正する（下線部が訂正箇所）。
「【発明の効果】以上説明したように、請求項１記載の本発明によれば、カラー画像を入力する入力手段
を有し、シート上に画像を形成する画像形成装置を制御可能な画像処理システムであって、
オペレータの選択に従ってカラー画像及び白黒画像の何れかを選択する選択手段と、
前記選択手段による
前記画像形成装置により像形成させること無く
前記選択手段による
前記画像形成装置により像形成させること無く
カラー画像及び白黒画像の選択がなされ
させた
前記
　
（２） 訂正の目的の適否、新規事項の有無及び特許請求の範囲の実質的拡張・変更の存否
　上記訂正事項ａ、ｂは、特許請求の範囲の減縮を目的とした明細書の訂正に該当し、訂正事項ｃ、ｄは、上記訂正事項ａ、ｂにより付随的に生じる記載不備を解消するものであって、明りょうでない記載の釈明を目的とした明細書の訂正に該当し、いずれも、新規事項の追加に該当せず、実質上特許請求の範囲を拡張し、又は変更するものではない。
　
（３） むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、および第２項の規定に適合するので、当該訂正を認める。
　
３．特許異議の申立ての概要
　異議申立人は、甲第１号証（特開昭６３−２０６０９３号公報）を提出し、本件請求項１、５に係る発明の特許は、特許法第２９条第１項３号、または同条第２項の規定に違反してなされたものであり、また、本件請求項２に係る発明の特許は、特許法第２９条第２項の規定に違反してなされたものであるから、取り消すべき旨主張している。
　
４．特許異議の申立てについての判断
（１）本件発明
　上記のとおり、平成１３年８月３０日付の訂正請求は認容されるので、本件の請求項１、２、５に係る発明は、訂正明細書の特許請求の範囲に記載された請求項１、請求項２及び請求項５に記載の次のとおりのものと認める。
「【請求項１】省略（上記２．（１）訂正事項ａ参照）
　
【請求項２】前記入力手段は撮像装置からのカラー画像を入力し、前記制御手段は、入力された前記カラー画像または前記変換手段により変換された白黒画像をシート上に形成するよう前記画像形成装置を制御することを特徴とする請求項１記載の画像処理システム。
　
【請求項５】省略（上記２．（１）訂正事項ｂ参照）」
　
（２）引用刊行物
　当審が通知した取消しの理由に引用した刊行物１（前記甲第１号証）には、図面とともに次の事項が記載されている。
「本発明はビデオプリンタに係り、特に使用者が好みの単色でプリント画像を得るのに好適なビデオプリンタの色操作装置に関するものである。」（１頁右下欄１４行ないし１６行）
「第１図において、破線で囲んだ１１の部分が本発明による色操作装置であり、その他の部分はビデオプリンタの主要構成部である。すなわち、１ａ、１ｂ、１ｃはプリント画像のＲＧＢ信号で、５はＡ／Ｄ変換器、６はＲＧＢ信号を、ＲＧＢ信号の補色であるＣｙ、Ｍg、Ｙｅ信号に変換する色変換回路、７はヘッド駆動回路、８はヘッド、９はドラム、である。色操作装置１１は、輝度信号合成回路２、減衰回路３ａ,３ｂ,３ｃそしてスイッチ回路４から構成される。
　さて、第１図に示したようにスイッチ回路４がＲＧＢ入力側に倒れている場合は、通常の高忠実度なビデオプリンタとしての動作が行われる。すなわち、プリントすべき画像のＲＧＢ信号を、スイッチ回路４を通過させてＡ／Ｄ変換回路５に入力し、アナログ信号をデジタル信号に変換する。そして、光の３原色であるＲＧＢを、印刷の３原色であるＣｙ,Ｍg,Ｙｅに色変換回路６において変換する。そして、プリンタのヘッド８は、通常、感熱ラインヘッドで面順次でプリントするので、色変換されたＣｙ,Ｍg,Ｙe信号はヘッド駆動回路７において、シリアルデータで面順次のヘッド８を駆動する信号に変換され、そして、ヘッド８を駆動する。それにより、ヘッド８は、ドラム９により搬送されるインク紙（図示せず）を発熱させ、印画紙（図示せず）上に画像をプリントする。
　次に、スイッチ回路４の各スイッチが図とは反対側に倒れている場合、すなわち、本発明による色操作装置が働く場合について説明する。
  先ず、輝度信号合成回路２では、入力されるＲＧＢ信号から、次式で示すように輝度信号を合成する。即ち、輝度信号をＹで表わすと、
　Ｙ=０．３０Ｒ+０．５９Ｇ+０．１１Ｂ…（１）である。この輝度信号Ｙは、ＲＧＢ３色に対応する３つの減衰回路３ａ,３ｂ,３ｃにそれぞれ入力され、各々減衰されて、スイッチ回路４に入力される。減衰回路３a,３ｂ,３cの減衰比はビデオプリンタの使用者により設定される。設定に際しては、色操作した画像をモニタテレビ１０でモニタできるので、好みの単色になるように減衰回路３a,３ｂ,３ｃを各々操作してから、プリントを指令する。」（２頁左下欄２行ないし３頁左上欄３行）
「次に、第２図に、本発明による色操作装置を構成する輝度信号合成回路２と、減衰回路３a,３ｂ,３ｃの具体的な回路例を示す。
　第２図において、ＲＧＢ信号は、高帯域なオペアンプ１２の入力抵抗１３a,１３ｂ,１３cにそれぞれ入力され、その際、これら入力抵抗と帰還抵抗１４の比は（１）式の係数が得られるよう選定してあるので、反転された輝度信号−Ｙとして、オペアンプ１２から出力される。尚、１５はバイアス抵抗である。そして、次段のオペアンプ１６の入力抵抗１７と帰還抵抗１８を同じ値にすることにより、ゲイン１で反転され、輝度信号Ｙが合成されたことになる。そして、減衰回路３a,３ｂ,3cとしての３つの可変抵抗器２４a,２４ｂ,２４cを通ってスイッチ回路４に伝達される。可変抵抗器２４a,２４ｂ,２４cの各抵抗値を変えるためのつまみは、たとえはビデオプリンタ筐体の前面に取付けられ、使用者は前述したようにモニタテレビ１０で色画像を見ながら、そのつまみを操作して、好みの単色の画像を得る。」（３頁左上欄４行ないし３頁右上欄３行）
　
（３） 対比・判断
（訂正請求項１に係る発明）
　訂正明細書の請求項１に係る発明（以下「訂正請求項１に係る発明」という。）と刊行物１に記載された発明とを対比すると、
（あ）刊行物１に記載された発明は、プリントすべき画像のＲＧＢ信号が入力される入力端子１ａ、１ｂ、１ｃを備えており、該入力端子１ａ、１ｂ、１ｃが本件訂正請求項１に係る発明における「入力手段」に相当する。
（い）刊行物１に記載された発明の輝度信号合成回路２及び減衰回路３ａ、３ｂ、３ｃは、入力されたＲＧＢ信号から輝度信号を合成し、該信号を好みの単色になるように減衰して出力するものであるから本件訂正請求項１に係る発明における「変換手段」に相当する。
（う）刊行物１に記載された発明のスイッチ回路４は、プリントすべき画像のＲＧＢ信号（本件訂正請求項１に係る発明のカラー画像に相当）と単色画像（本件訂正請求項１に係る発明の白黒画像に相当）を選択するものであり、また、画像の選択はプリンタの使用者が行うことは明らかであるので、当該スイッチ回路４は本件訂正請求項１に係る発明における「選択手段」に相当する。
（え）刊行物１に記載された発明は、スイッチ回路による単色画像の選択に応じて、輝度信号合成回路、減衰回路からの単色画像をモニタテレビ（本件訂正請求項１に係る発明の表示装置に相当）に出力し、表示させ、スイッチ回路による画像のＲＧＢ信号の選択に応じて、入力端子からのＲＧＢ信号を、輝度信号合成回路、減衰回路を介さずにモニタテレビに出力し、表示させている（第１図参照）から、上記構成は本件訂正請求項１に係る発明における「表示制御手段」に対応する。
（お）刊行物１には、「設定に際しては、色操作した画像をモニタテレビ１０でモニタできるので、好みの単色になるように減衰回路３a,３ｂ,３ｃを各々操作してから、プリントを指令する。」との記載があることから、刊行物１に記載された発明は、少なくとも、スイッチ回路４で単色画像が選択された際には、モニタテレビに単色画像を印画紙上にプリントすることなく表示させる表示制御が行われ、また、当該表示させた画像を、指令に応じて印画紙上にプリントする制御が行われていることは明らかであり、上記構成は本件訂正請求項１に係る発明における「制御手段」に対応する。
（か）刊行物１に記載された発明は、上記（お）で述べたように、表示させた画像を、指令に応じて印画紙上にプリントするというプリンタの制御を行っていることから、プリンタ（本件訂正請求項１に係る発明の画像形成装置に相当）を制御可能な画像処理システムである。
　
　したがって、両者は、
「カラー画像を入力する入力手段を有し、シート上に画像を形成する画像形成装置を制御可能な画像処理システムであって、入力されたカラー画像を白黒画像に変換する変換手段と、オペレータの選択に従ってカラー画像及び白黒画像の何れかを選択する選択手段と、前記選択手段による白黒画像の選択に応じて、前記変換手段からの白黒画像を表示装置に出力するよう制御し、前記表示装置上に前記変換手段からの白黒画像を前記画像形成装置により像形成させること無く表示させ、前記選択手段によるカラー画像の選択に応じて、前記入力手段からのカラー画像を前記変換手段を介さずに前記表示装置に出力するよう制御し、前記表示装置上に前記入力手段からのカラー画像を表示させる表示制御手段と、前記選択手段によりカラー画像及び白黒画像の選択がなされ前記表示制御手段により前記表示装置に表示させた白黒画像を、指示に応じてシート上に形成するよう前記画像形成装置を制御する制御手段と、を有することを特徴とする画像処理システム。」
である点で一致し、以下の点で相違している。
　
〈相違点１〉
　前記「表示制御手段」及び前記「制御手段」が、本件訂正請求項１に係る発明においては、カラー画像の選択に応じて、表示装置上にカラー画像を表示させる際、画像形成装置により像形成させること無く表示させ、当該カラー画像を指示に応じてシート上に形成するよう制御しているのに対して、刊行物１に記載された発明には、この点について特に記載されていない点。
　
　以下、相違点１について検討する。
　モニタを備えたカラー画像プリンタ装置において、カラー画像をプリントする前に、プリンタにより画像をプリントすることなくモニタ画面上に表示し、当該画像をモニタ画面で確認した後に、プリントすることは周知の技術である（例えば、特開昭６２−８４６８０号公報、特開昭６３−２８３９６７号公報参照のこと）。
　また、刊行物１に記載された発明においては、スイッチ回路４で単色画像が選択された際には、モニタテレビに単色画像を印画紙上にプリントすることなく表示させ、当該表示装置に表示させた単色画像を、指示に応じてシート上に形成するよう制御している。
　そうすると、上記周知技術を勘案すると、刊行物１に記載された発明において、表示制御手段を、カラー画像の選択に応じて、表示装置上にカラー画像を表示させる際にも、画像形成装置により像形成させること無く表示させるように構成し、制御手段を、当該表示されたカラー画像を、指示に応じてシート上に形成する構成とすることは、当業者が格別の創意工夫を要することなくなし得ることである。
　そして、本件訂正請求項１に係る発明によって奏される効果は、刊行物１に記載された発明、及び前記周知技術から当業者が容易に予測可能であって、格別のものではない。
　
（訂正請求項２に係る発明）
　本件訂正請求項２に係る発明（以下「訂正請求項２に係る発明」という）と刊行物１に記載された発明とを対比すると、上記相違点１に加え、次の点でさらに相違する。
〈相違点２〉
　「入力手段」に入力するカラー画像が、本件訂正請求項２に係る発明は、撮像装置からのカラー画像であるのに対し、刊行物１に記載された発明には、この点について特に記載されていない点。
　
　そこで、前記各相違点について検討すると、相違点１については、前記訂正請求項１に係る発明の判断で示したとおりである。
　次に、相違点２については、撮像装置からのカラー画像信号をプリンタでプリントすることは当業者において周知の事項であるから、刊行物１に記載された発明において、入力手段に入力するカラー画像を、撮像装置からのカラー画像とすることは、当業者が格別創意工夫を要することなくなし得ることである。
　そして、上記相違点に基づく本件訂正請求項２に係る発明の効果に格別顕著なものは認められない。
　
（訂正請求項５に係る発明）
　本件訂正明細書の訂正請求項５に係る発明（以下「訂正請求項５に係る発明」という）と刊行物１に記載された発明とを対比すると、
（き）刊行物１に記載された発明は、プリントすべき画像のＲＧＢ信号が入力される入力端子１ａ、１ｂ、１ｃを備えており、該入力端子１ａ、１ｂ、１ｃが本件訂正請求項５に係る発明における「入力手段」に相当する。
（く）刊行物１に記載された発明の輝度信号合成回路２及び減衰回路３ａ、３ｂ、３ｃは、入力されたＲＧＢ信号から輝度信号を合成し、該信号を好みの単色になるように減衰して出力するものであるから本件訂正請求項５に係る発明における「変換手段」に相当する。
（け）刊行物１に記載された発明のスイッチ回路４は、プリントすべき画像のＲＧＢ信号（本件訂正請求項１に係る発明のカラー画像に相当）と単色画像（本件訂正請求項１に係る発明の白黒画像に相当）を選択するものであり、また、画像の選択はプリンタの使用者が行うことは明らかであるので、当該スイッチ回路４による画像の選択は、本件訂正請求項５に係る発明における「選択するステップ」に相当する。
（こ）刊行物１に記載された発明は、スイッチ回路による単色画像の選択に応じて、輝度信号合成回路、減衰回路からの単色画像をモニタテレビ（本件訂正請求項１に係る発明の表示装置に相当）に出力し、表示させ、スイッチ回路による画像のＲＧＢ信号の選択に応じて、入力端子からのＲＧＢ信号を、輝度信号合成回路、減衰回路を介さずにモニタテレビに出力し、表示させており（第１図参照）、
　また、刊行物１には、「設定に際しては、色操作した画像をモニタテレビ１０でモニタできるので、好みの単色になるように減衰回路３a,３ｂ,３ｃを各々操作してから、プリントを指令する。」との記載があることから、刊行物１に記載された発明は、少なくとも、スイッチ回路４で単色画像が選択された際には、モニタテレビに単色画像を印画紙上にプリントすることなく表示させる表示制御が行われ、また、当該表示させた画像を、指令に応じて印画紙上にプリントする制御が行われていることは明らかである。したがって、これらの制御は、本件訂正請求項５に係る発明における「表示させるステップ」及び「制御するステップ」に相当する。
（さ）刊行物１に記載された発明は、上記（こ）で述べたように、表示させた画像を、指令に応じて印画紙上にプリントするというプリンタの制御を行っていることから、プリンタ（本件訂正請求項５に係る発明の画像形成装置に相当）を制御可能な画像処理システムの制御方法である。
　
　したがって、両者は、
「カラー画像を入力する入力手段と、入力されたカラー画像を白黒画像に変換する変換手段とを有するものであって、シート上に画像を形成する画像形成装置を制御可能な画像処理システムの制御方法であって、オペレータの選択に従ってカラー画像及び白黒画像の何れかを選択する選択するステップと、白黒画像の選択に応じて、前記変換手段からの白黒画像を表示装置に出力するよう制御し、前記表示装置上に前記変換手段からの白黒画像を前記画像形成装置により像形成させること無く表示させるステップと、カラー画像の選択に応じて、前記入力手段からのカラー画像を前記変換手段を介さずに前記表示装置に出力するよう制御し、前記表示装置上に前記入力手段からのカラー画像を表示させるステップと、カラー画像及び白黒画像の選択がなされ前記表示装置に表示させた白黒画像を、指示に応じてシート上に形成するよう前記画像形成装置を制御するステップと、を有することを特徴とする画像処理システムの制御方法。」
である点で一致し、以下の点で相違している。
　
〈相違点３〉
　前記「表示させるステップ」、「制御するステップ」が、本件訂正請求項１に係る発明においては、カラー画像の選択に応じて、表示装置上にカラー画像を表示させる際、画像形成装置により像形成させること無く表示させ、当該カラー画像を指示に応じてシート上に形成するよう制御しているのに対して、刊行物１に記載された発明には、この点について特に記載されていない点。
　
　以下、相違点３について検討する。
　モニタを備えたカラー画像プリンタ装置において、カラー画像をプリントする前に、プリンタにより画像をプリントすることなくモニタ画面上に表示し、当該画像をモニタ画面で確認した後に、プリントすることは周知の技術である（例えば、特開昭６２−８４６８０号公報、特開昭６３−２８３９６７号公報参照のこと）。
　また、刊行物１に記載された発明においては、スイッチ回路４で単色画像が選択された際には、モニタテレビに単色画像を印画紙上にプリントすることなく表示させ、当該表示装置に表示させた単色画像を、指示に応じてシート上に形成するよう制御している。
　そうすると、上記周知技術を勘案すると、刊行物１に記載された発明において、表示させるステップを、カラー画像の選択に応じて、表示装置上にカラー画像を表示させる際にも、画像形成装置により像形成させること無く表示させるようにし、制御するステップを、当該カラー画像を指示に応じてシート上に形成するよう制御することは、当業者が格別の創意工夫を要することなくなし得ることである。
　そして、本件訂正請求項５に係る発明によって奏される効果は、刊行物１に記載された発明、及び前記周知技術から当業者が容易に予測可能であって、格別のものではない。
　
（４） むすび
　以上のとおり、本件訂正明細書の請求項１ないし２、５に係る発明は、刊行物１に記載された発明、及び前記周知技術に基づいて当業者が容易に発明をすることができたものであるから、本件訂正明細書の請求項１ないし２、５に係る発明の特許は特許法第２９条第２項の規定に違反してなされたものである。
　したがって、本件訂正明細書の請求項１ないし２、５に係る発明の特許は、いずれも拒絶の査定をしなければならない特許出願に対してなされたものと認める。　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月４日（２００１．１０．４）
【訂正の要旨】
訂正の要旨
　以下の訂正を認める。
訂正事項▲１▼−１　特許請求の範囲の請求項１の
「　【請求項１】　カラー画像を入力する入力手段と、
　入力されたカラー画像を白黒画像に変換する変換手段と、
　カラー画像及び白黒画像の何れかを選択する選択手段と、
　前記選択手段による白黒画像の選択に応じて、前記変換手段からの白黒画像を表示装置に出力するよう制御し、前記表示装置上に前記変換手段からの白黒画像を表示させ、前記選択手段によるカラー画像の選択に応じて、前記入力手段からのカラー画像を前記変換手段を介さずに前記表示装置に出力するよう制御し、前記表示装置上に前記入力手段からのカラー画像を表示させる表示制御手段と、
　前記表示装置に表示された画像を、指示に応じてシート上に形成するよう画像形成装置を制御する制御手段と、
を有することを特徴とする画像処理システム。」
とあるのを、特許請求の範囲の減縮を目的として、
「　【請求項１】　カラー画像を入力する入力手段
を有し、シート上に画像を形成する画像形成装置を制御可能な画像処理システムであって、
　入力されたカラー画像を白黒画像に変換する変換手段と、
　
オペレータの選択に従って
　前記選択手段による白黒画像の選択に応じて、前記変換手段からの白黒画像を表示装置に出力するよう制御し、前記表示装置上に前記変換手段からの白黒画像を
前記画像形成装置により像形成させること無く
前記画像形成装置により像形成させること無く
　
前記選択手段によりカラー画像及び白黒画像の選択がなされ前記表示制御手段により
させた
前記
を有することを特徴とする画像処理システム。」
とする訂正。
訂正事項▲１▼−２　特許請求の範囲の請求項５の
「　【請求項５】　カラー画像を入力する入力手段と、入力されたカラー画像を白黒画像に変換する変換手段とを有す画像処理システムの制御方法であって、
　カラー画像及び白黒画像の何れかを選択するステップと、
　白黒画像の選択に応じて、前記変換手段からの白黒画像を表示装置に出力するよう制御し、前記表示装置上に前記変換手段からの白黒画像を表示させるステップと、
　カラー画像の選択に応じて、前記入力手段からのカラー画像を前記変換手段を介さずに前記表示装置に出力するよう制御し、前記表示装置上に前記入力手段からのカラー画像を表示させるステップと、
　前記表示装置に表示された画像を、指示に応じてシート上に形成するよう画像形成装置を制御するステップと、
を有することを特徴とする画像処理システムの制御方法。」
とあるのを、特許請求の範囲の減縮を目的として、
「　【請求項５】　カラー画像を入力する入力手段と、入力されたカラー画像を白黒画像に変換する変換手段とを有す
るものであって、シート上に画像を形成する画像形成装置を制御可能な
　
オペレータの選択に従って
　白黒画像の選択に応じて、前記変換手段からの白黒画像を表示装置に出力するよう制御し、前記表示装置上に前記変換手段からの白黒画像を
前記画像形成装置により像形成させること無く
　カラー画像の選択に応じて、前記入力手段からのカラー画像を前記変換手段を介さずに前記表示装置に出力するよう制御し、前記表示装置上に前記入力手段からのカラー画像を
前記画像形成装置により像形成させること無く
　
カラー画像及び白黒画像の選択がなされ
させた
前記
を有することを特徴とする画像処理システムの制御方法。」
とする訂正。
訂正事項▲２▼−１　明細書中の段落番号【００１１】の
「　【課題を解決するための手段】
　上記目的を達成するため、本発明は、カラー画像を入力する入力手段と、入力されたカラー画像を白黒画像に変換する変換手段と、カラー画像及び白黒画像の何れかを選択する選択手段と、前記選択手段による白黒画像の選択に応じて、前記変換手段からの白黒画像を表示装置に出力するよう制御し、前記表示装置上に前記変換手段からの白黒画像を表示させ、前記選択手段によるカラー画像の選択に応じて、前記入力手段からのカラー画像を前記変換手段を介さずに前記表示装置に出力するよう制御し、前記表示装置上に前記入力手段からのカラー画像を表示させる表示制御手段と、前記表示装置に表示された画像を、指示に応じてシート上に形成するよう画像形成装置を制御する制御手段と、を有する。」とあるのを、特許請求の範囲の記載と発明の詳細な説明の記載との整合を図るため、明りょうでない記載の釈明を目的として、
「　【課題を解決するための手段】
　上記目的を達成するため、本発明は、カラー画像を入力する入力手段
を有し、シート上に画像を形成する画像形成装置を制御可能な画像処理システムであって、
オペレータの選択に従って
前記画像形成装置により像形成させること無く
前記画像形成装置により像形成させること無く
前記選択手段によりカラー画像及び白黒画像の選択がなされ前記表示制御手段により
させた
前記
とする訂正。
訂正事項▲２▼−２　明細書中の段落番号【００８８】の
「　【発明の効果】
　以上説明したように、請求項１記載の本発明によれば、カラー画像を入力する入力手段と、入力されたカラー画像を白黒画像に変換する変換手段とを有し、白黒画像の選択に応じて、前記変換手段からの白黒画像を表示装置に出力するよう制御し、前記表示装置上に前記変換手段からの白黒画像を表示させ、カラー画像の選択に応じて、前記入力手段からのカラー画像を前記変換手段を介さずに前記表示装置に出力するよう制御し、前記表示装置上に前記入力手段からのカラー画像を表示させ、前記表示装置に表示された画像を、指示に応じてシート上に形成するよう画像形成装置を制御することで、カラー画像と白黒画像のどちらでも出力が可能となるので、利用者は望みの画像を出力することができると共に、画像形成装置により印刷が行われる前に、利用者は自分の所望する画像を表示装置を介して事前に確認することができ、尚且つ、カラー画像で入力したものをカラー画像で印刷したいと利用者により要求された場合、カラー画像の状態のまま表示装置に表示させ、一方、カラー画像で入力したものを白黒画像で印刷したいと要求された場合は、カラー画像をそのまま表示装置に表示することなく、白黒画像に変換したものを表示装置に表示させることができるので、利用者が、カラー画像で入力した自分のデータは、カラー画像で印刷されるのか、白黒画像として印刷されるのかが分からなくなってしまう等の不具合を防止し、また、例えば、利用者が、カラー画像で入力したものを白黒画像に変換して印刷するよう装置に対して要求した場合に、変換手段により変換された白黒データは、自分の望む白黒データに正しく変換されたのか否か等を表示装置を介して当該利用者自身で確認出来るので、自分の所望するデータとは異なった白黒データが印刷されてしまう等の不具合を防止し、無駄な印刷を未然に防止することができる。」
とあるのを、特許請求の範囲の記載と発明の詳細な説明の記載との整合を図るため、明りょうでない記載の釈明を目的として、
「　【発明の効果】
　以上説明したように、請求項１記載の本発明によれば、カラー画像を入力する入力手段
を有し、シート上に画像を形成する画像形成装置を制御可能な画像処理システムであって、
、オペレータの選択に従ってカラー画像及び白黒画像の何れかを選択する選択手段と、
前記選択手段による
前記画像形成装置により像形成させること無く
前記選択手段による
前記画像形成装置により像形成させること無く
　
カラー画像及び白黒画像の選択がなされ
させた
前記
とする訂正。
（５４）【発明の名称】
画像処理システム
（５７）【特許請求の範囲】
　【請求項１】　カラー画像を入力する入力手段
を有し、シート上に画像を形成する画像形成装置を制御可能な画像処理システムであって、
　入力されたカラー画像を白黒画像に変換する変換手段と、
　
オペレータの選択に従って
　前記選択手段による白黒画像の選択に応じて、前記変換手段からの白黒画像を表示装置に出力するよう制御し、前記表示装置上に前記変換手段からの白黒画像を
前記画像形成装置により像形成させること無く
前記画像形成装置により像形成させること無く
　
前記選択手段によりカラー画像及び白黒画像の選択がなされ前記表示制御手段により
させた
前記
を有することを特徴とする画像処理システム。
　【請求項２】　前記入力手段は撮像装置からのカラー画像を入力し、前記制御手段は、入力された前記カラー画像または前記変換手段により変換された白黒画像をシート上に形成するよう前記画像形成装置を制御することを特徴とする請求項１記載の画像処理システム。
　【請求項３】　画像の色分解を行う色分解手段と、
　モノクロ用の撮像手段と、
　前記撮像手段からの画像を入力するものであり、前記色分解手段を介して撮像することに応じて、前記撮像手段から色分解された画像を入力し、前記色分解手段を介さずに撮像することに応じて、白黒画像を前記撮像手段から入力する入力手段と、
　前記入力手段により入力された色分解された画像を合成してカラー画像とする合成手段と、
　前記合成手段からのカラー画像及び前記入力手段からの白黒画像を出力する出力手段と、
　カラー画像の出力と白黒画像の出力の何れかを選択する選択手段と、
　前記選択手段によりカラー画像の出力が選択されたことに応じて、前記色分解手段を介した画像の撮像を行い、前記撮像手段からの色分解された画像を入力し、前記合成手段からのカラー画像を出力するよう制御し、前記選択手段により白黒画像の出力が選択されたことに応じて、前記色分解手段を介さずに画像の撮像を行い、前記撮像手段からの白黒画像を入力し、前記入力手段からの白黒画像を出力するよう制御する制御手段と、
を有することを特徴とする画像処理システム。
　【請求項４】　前記出力手段からの白黒画像及びカラー画像を表示する手段を更に有し、前記制御手段はカラー画像の出力を行うときカラー画像を表示させ、白黒画像の出力を行うとき白黒画像を表示させることを特徴とする請求項３記載の画像処理システム。
　【請求項５】　カラー画像を入力する入力手段と、入力されたカラー画像を白黒画像に変換する変換手段とを有す
るものであって、シート上に画像を形成する画像形成装置を制御可能な
　
オペレータの選択に従って
　白黒画像の選択に応じて、前記変換手段からの白黒画像を表示装置に出力するよう制御し、前記表示装置上に前記変換手段からの白黒画像を
前記画像形成装置により像形成させること無く
　カラー画像の選択に応じて、前記入力手段からのカラー画像を前記変換手段を介さずに前記表示装置に出力するよう制御し、前記表示装置上に前記入力手段からのカラー画像を
前記画像形成装置により像形成させること無く
　
カラー画像及び白黒画像の選択がなされ
させた
前記
を有することを特徴とする画像処理システムの制御方法。
【発明の詳細な説明】
　【０００１】
　【産業上の利用分野】
　本発明は、被写体を撮影し、撮影した画像を印刷する画像処理システムに関する。
　【０００２】
　【従来の技術】
　従来、身分証明書やパスポートなどのための写真を、金銭を投入することにより自動で撮影できるフォトブース装置があり、その構成として、カメラ、写真現像部、フラッシュなどを備えた光学的銀塩写真技術を用いる装置が知られている。
　【０００３】
　しかし、このような装置は、写真の現像に化学薬品を用いるため、公害問題があるとして設置される場所を制限されたり、装置のメンテナンスなども手間のかかるものであった。
　【０００４】
　又、このような装置では現像のためのケミカル処理に時間を要し、使用者は撮影してから写真を得るまで５分程待たされていた。
　【０００５】
　又、このような装置では、撮影結果は現像されるまでわからず、撮影を失敗したときにはすでに用紙にプリントされているので用紙を無駄使いしてしまったり、失敗したにもかかわらず金銭を徴収されてしまう欠点があった。
　【０００６】
　又、このような装置は、白黒用の装置とカラー用の装置が別々であったため、所望の写真を撮影するためには所望の写真が得られる装置を捜し歩かなければならなかった。
　【０００７】
　又、このような装置は様々な機能を載せるとコスト高になってしまう欠点があった。
　【０００８】
　【０００９】
　【発明が解決しようとする課題】
　本発明は上記問題を解決するものであり、本発明の目的は、利用者の望みの撮影結果を出力することを可能とした画像処理システムを提供することにある。
　【００１０】
　更に、本発明の目的は、様々な機能を低コストで実現できる画像処理システムを提供することにある。
　【００１１】
　【課題を解決するための手段】
　上記目的を達成するため、本発明は、カラー画像を入力する入力手段
を有し、シート上に画像を形成する画像形成装置を制御可能な画像処理システムであって、
オペレータの選択に従って
前記画像形成装置により像形成させること無く
前記画像形成装置により像形成させること無く
前記選択手段によりカラー画像及び白黒画像の選択がなされ前記表示制御手段により
させた
前記
　【００１２】
　又、本発明は、画像の色分解を行う色分解手段と、モノクロ用の撮像手段と、前記撮像手段からの画像を入力するものであり、前記色分解手段を介して撮像することに応じて、前記撮像手段から色分解された画像を入力し、前記色分解手段を介さずに撮像することに応じて、白黒画像を前記撮像手段から入力する入力手段と、前記入力手段により入力された色分解された画像を合成してカラー画像とする合成手段と、前記合成手段からのカラー画像及び前記入力手段からの白黒画像を出力する出力手段と、カラー画像の出力と白黒画像の出力の何れかを選択する選択手段と、前記選択手段によりカラー画像の出力が選択されたことに応じて、前記色分解手段を介した画像の撮像を行い、前記撮像手段からの色分解された画像を入力し、前記合成手段からのカラー画像を出力するよう制御し、前記選択手段により白黒画像の出力が選択されたことに応じて、前記色分解手段を介さずに画像の撮像を行い、前記撮像手段からの白黒画像を入力し、前記入力手段からの白黒画像を出力するよう制御する制御手段と、を有する。
　【００１３】
　【００１４】
　【００１５】
　【００１６】
　【実施例】
　以下、図面に基づいて詳細に説明する。
　【００１７】
　図１は、本発明の一実施例の画像処理システムのブロック構成図である。１１はビデオカメラからなる撮像部、１２はビデオカメラ１１からの画像情報を記憶するたとえば半導体メモリなどで構成した画像記憶部、１３はモニタ出力画面切替スイッチ、１４はモニタ、１５は各部に電力供給を行う電源部である。１６は各部の動作を制御するシステム制御部で、ＣＰＵ、ＲＡＭ、ＲＯＭ（図示せず）で構成されている。ＲＡＭはＣＰＵのワークエリアとして用い、ＲＯＭには制御動作の内容やモニタに表示するメッセージデータが書きこまれている。１７はシステム制御部１６を操作する操作部で、画像の記憶を開始させるシャッタボタン１７ａと、記憶した画像の印刷を開始させるプリントボタン１７ｂと、画像を記憶した後、その記憶画像を取り消し、再度撮影待ち状態にさせる取消しボタン１７ｃを持つ。１８はビデオプリンタで、たとえばサーマルプリンタや、熱により気泡を発生させ、その圧力によりインクを吐出させるバブルジェットプリンタ等である。１９はコイン投入を検知する検知部である。
　【００１８】
　図２は本実施例の外観図である。２０は被写体を照明する照明で、たとえば蛍光灯などである。２１はコイン投入口である。
　【００１９】
　上記構成からなる電子フォトシステムのシステム制御部１６の動作のフローチャートを図３に示す。コイン検知部１９がコインを探知すると、コイン投入信号をシステム制御部１６に送る（ステップＳ１）。コイン投入信号を受けたシステム制御部１６は電源部１５へ信号を送り、各部に電力の供給を開始する（ステップＳ２）。次に、スイッチ１３をカメラ側に切り換え、ビデオカメラ１１で現在撮像している画像を直接モニタ１４に表示する（ステップＳ３）。操作部１７のシャッタボタン１７ａが押されると（ステップＳ４）、その時に撮像している画像を静止画として画像記憶部１２に記憶する（ステップＳ５）。
　【００２０】
　次に、スイッチ１３を記憶部側に切り換え、これから印刷する画像を撮影者に確認させる為に記憶した画像をモニタ１４に表示する（ステップＳ６）。操作部１７のプリントボタン１７ｂが押されると（ステップＳ７）、記憶した画像をビデオプリンタ１８により印刷する（ステップＳ８）。印刷終了後、ビデオプリンタ１８からシステム制御部１７へ印刷終了信号を送り、さらに電源部１５へ信号を送り、各部への電力の供給をストップして（ステップＳ９）、終了する。ステップＳ７でプリントボタン１７ｂが押されずに、取消しボタン１７ｃが押された場合はステップＳ３へ進み、記憶操作待ち状態となり取消しボタン１７ｃが押されなかった場合はステップＳ６へ進み、印刷操作待ち状態となる（ステップＳ１０）。
　【００２１】
　なお、撮影の際、操作部１７のシャッタボタン１７ａが押されると、システム制御部１６内に有するカウンタでカウントして、予め決められたカウント値になると現在撮像している画像を記憶するようシステム制御部１６で制御して、正しい姿勢で撮影できるようにしてもよい。
　【００２２】
　また、操作部１７のシャッタボタン１７ａを撮影者の足もとに配置して足でシャッタボタン１７ａを押せるようにして正しい姿勢で撮影できるようにしてもよい。さらに、照明２０をフラッシュランプとし、フラッシュ撮影をできるようにしてもよい。
　【００２３】
　これにより、公害対策に有効で、メンテナンスが容易になり、写真が完成するまでの時間が短縮され、印刷費用やプリント紙の節約になり、気に入った写真が得られる。
　【００２４】
　次に別の態様の実施例について説明する。
　【００２５】
　図４は本発明の別の実施例の画像処理システムの動作を示すフローチャートである。本実施例のブロック構成図は図１と同じである。本実施例は同一の写真を複数枚印刷することを可能にしたものである。ステップＳ１〜Ｓ１０は図３と同様なので説明を省略する。ステップＳ８で記憶した画像の印刷終了後、システム制御部１６内のタイマーをオンし（ステップＳ１１）、現在記憶している画像をさらに印刷するかどうか知らせるメッセージ（例：「もう一枚プリントする場合、コインをいれてください。」）をモニタ１４に表示する（ステップＳ１２）。コインを探知するとステップＳ６へ進み、印刷操作待ち状態となる（ステップＳ１３）。ステップＳ１３でコインを探知しなかった場合、システム制御部１６内にあるタイマーにより所定時間経過したかどうか調べる（ステップＳ１４）。ステップＳ１４で所定時間に経過していない場合はステップＳ１２へ進み、コインの投入を待ち、所定時間に経過している場合はシステム制御部１７から電源部１５へ信号を送り、各部への電力の供給をストップして（ステップＳ１５）、終了する。
　【００２６】
　ステップＳ１３でコインが投入されたことを探知した場合は記憶している画像をモニタ１４で表示し（ステップＳ６）記憶している画像の印刷指示待ちの状態になる（ステップＳ７）。
　【００２７】
　この構成により、一度記憶された好みの画像の写真を複数枚得ることができる。
　【００２８】
　なお、撮影をして操作部１７のプリントボタン１７ｂが押されると、予め決められた枚数を印刷するようシステム制御部１６で制御して、好みの画像の写真を複数枚得られるような動作にしてもよい。
　【００２９】
　次に本発明の別の態様の実施例について説明する。
　【００３０】
　図５は、本発明の別の実施例を示す画像処理システムのブロック構成図である。１１〜１９は図１と同様である。３０は給紙部、３１は異常時に電話回線を用い管理センター等と通話を行う通信部、３２は電話回線である。
　【００３１】
　図６は複数の画像処理システムを集中監視する集中監視装置のブロック構成図である。４０は電話回線３２を用い複数の画像処理システムと通信を行う通信部、４１は集中監視装置の制御を行う制御部である。４２は各画像処理システムの状態や、画像処理システムに異常があった際に最寄の使用可能な画像処理システムの場所を示す地図のデータなどを記憶しておく記憶部である。４３は制御部４１からの各画像処理システムの状態を表示するモニタである。
　【００３２】
　上記構成からなる画像処理システムの制御部１６の動作のフローチャートを図７に示す。コイン検知部１９がコインを検知すると、コイン投入信号を制御部１６に送る（ステップＳ１）。コイン投入信号を受けた制御部１６は電源部１５へ信号を送り、各部に電力の供給を開始する（ステップＳ２）。制御部１６はプリンタ１８から図８に示すような状態信号を一定時間ごとに受け、プリンタ１８が正常に動作しているか判断する（ステップＳ２０）。ステップＳ２０で紙切れや紙詰まり等の異常がなければ、そのまま通常時の制御を続け、その後も一定時間ごとに異常を検出する。通常時はビデオカメラ１１で撮像している画像をモニタ１４に表示し（ステップＳ３）、シャッタボタン１７ａが押されると（ステップＳ４）、押された時点の撮像画像を静止画として記憶する（ステップＳ５）。そして、記憶した記憶画像をモニタ１４に表示する（ステップＳ６）。操作部１７のプリントボタン１７ｂが押されると（ステップＳ７）、記憶した画像をビデオプリンタ１８により印刷する（ステップＳ８）。印刷終了後、ビデオプリンタ１８からシステム制御部１７へ印刷終了信号を送り、さらに電源部１５へ信号を送り、各部への電力の供給をストップして（ステップＳ９）、終了する。ステップＳ７でプリントボタン１７ｂが押されずに、取消しボタン１７ｃが押された場合はステップＳ２０へ進み記憶操作待ち状態となり、取消しボタン１７ｃが押されなかった場合はステップＳ６へ進み、記憶操作待ち状態となる（ステップＳ１０）。ステップＳ２０で紙切れや紙詰り等の異常があった場合、投入されていたコインを返却し（ステップＳ２１）、通信部３１から管理センター内の集中監視装置（図３）へ画像処理システムの固有コード、地名コード、異常内容のコードを送信する（ステップＳ２２）。
　【００３３】
　異常内容を受信した集中監視装置の制御部４１は、モニタ４３に異常の発生した画像処理システムの固有コードと地名と異常内容を表示させる。そして、記憶部４２内の画像処理システムの状態の内容を使用不可に書き替え、最寄りの使用可能な状態の画像処理システムを検索する。検索結果に基づいて、記憶部４２内に予め記憶してある画像処理システムが設置されている場所を示す地図のデータを通信部４０より異常の発生した画像処理システムへ送信する。
　【００３４】
　図９に通信部３１の具体的な回路構成を示す。５５は制御部１６からの異常報知制御信号で、この信号がオンになるとＣＰＵ５３は回線接続制御信号５４をオンにしてネットワークコントロールユニット（ＮＣＵ）５０に回線接続を指令する。次にＣＰＵ５３はＥＥＰＲＯＭ５６等の不揮発性メモリに予め書き込まれている管理センターの電話番号を読み出し、その番号に相当するＤＴＭＦ（ｄｕａｌ　ｔｏｎｅ　ｍｕｌｔｉ　ｆｒｅｇｕｅｎｃｙ）コードを番号順に回線規格に合わせて出力するようにＤＴＭＦ発生器５４に指令する。回線が管理センターと接続すると集中監視装置は自動的に応答し、１ＫＨｚの正弦波信号を送信側に送る。通信装置３１のバンドパスフィルタ（ＢＰＦ）５８は１ＫＨｚの正弦波を抜き取り、Ａ／Ｄ変換器５９はその検知レベルをデジタル化する。ＣＰＵ５３はこのデジタル値が所定値以上になったら回線が管理センターと接続したと判断し、この画像処理システムの固有コード、設置されている地名コード、異常内容のコードを順次ＥＥＰＲＯＭ５６から順に読み出し最後にエラー訂正コードをつけて前記のＤＴＭＦコードで送る。管理センターで正しく受信されると集中監視装置は１ＫＨｚの正弦波を発生し、送信側に正しく受信されたことを知らせる。通信装置３１はこの１ＫＨｚ信号が検知されると回線をオフする。集中監視装置はブース番号、設置地名、故障内容等をモニタ４３に表示して管理者に知らせる。
　【００３５】
　画像処理システムの通信部１６は集中監視装置からの最寄りの使用可能な画像処理システムの地図のデータを受信して、画像記憶部１２に記憶させる（ステップＳ２３）。そして、地図をモニタ１４に表示させ（ステップＳ２４）、操作部１７のプリントボタンが押されると（ステップＳ２５）、プリントされる印刷紙があるかどうかチェックし（ステップＳ２６）、印刷紙があれば受信データの印刷を行う（ステップＳ２７）。画像処理システムが異常である間はステップＳ２４〜Ｓ２７の制御動作を続け、正常に戻った場合はリセットされステップＳ１から制御を行う。
　【００３６】
　尚、他の使用可能な画像処理システムの場所を言葉で表現したものを出力するようにしてもよい。
　【００３７】
　このように、画像処理システムに異常があった場合は管理センターに報知することができるので、定期的に画像処理システムの巡回点検を行う手間が省ける。又、他の使用可能な画像処理システムの地図を表示するので、利用者は探しまわることなく、使用できる画像処理システムを見つけることができる。又、制御の途中で異常が発生してもコインを返却するので、金銭管理上の不具合がない。
　【００３８】
　次に別の態様の実施例について説明する。
　【００３９】
　図１０は本発明の別の実施例の画像処理システムのブロック構成図である。１１はビデオカメラからなる撮像部、１２はビデオカメラ１１からの被写体情報の読み書きが可能なたとえば半導体メモリなどで構成した画像記憶部で、画像記憶部はＸ方向に６４０点、Ｙ方向に４８０点の画素を記憶できる。また、印刷のための読み出し領域はＳ点（ＸＳ，ＹＳ）、Ｅ点（ＸＥ，ＹＥ）を対角とする長方形で表わされる。ＸＳ，ＹＳ，ＸＥ，ＹＥはそれぞれ画像記憶部における番地を表わす。１３〜１９は図１と同じである。１７ｄは画像中の印刷領域を移動させる領域移動ボタンである。領域ボタンを押すことにより前述のＸＳ，ＹＳ，ＸＥ，ＹＥを増減する。ＸＳ，ＹＳ，ＸＥ，ＹＥは電源投入時は初期値が与えられる。ＸＳ，ＸＥは領域移動ボタン５２ｄの右方向が押されると１ずつ増加し、左方向が押されると１ずつ減少する。ＹＳ，ＹＥは領域移動ボタン５２ｄの上方向が押されると１ずつ減少し、下方向が押されると１ずつ増加する。６１は印刷する領域を示すマークを発生し、モニタ１４に画像と合成表示させるマーク発生部である。
　【００４０】
　上記構成からなる電子フォトシステムのシステム制御部１６の動作のフローチャートを図１１に示す。コイン検知部１９がコインを探知するとコイン投入信号をシステム制御部１６に送る（ステップＳ１）。コイン投入信号を受けたシステム制御部１６は電源部１５へ信号を送り、各部に電力の供給を開始する（ステップＳ２）。電力の供給が開始されると、ステップ１３をカメラ側に切り換え、ビデオカメラ１１で現在撮像している画像とマーク発生部６１より発生したマーク６１とを合成してモニタ１４に表示させる（ステップＳ３０）。このとき、マーク発生部は前述のシステム制御部１６からの印刷領域を表わすデータ（ＸＳ，ＹＳ，ＸＥ，ＹＥ）を受けて図１２に示すようにその領域を示すマーク６２を発生する。電力供給開始時のマークの位置は、システム制御部１６のＲＯＭが記憶している初期値によって決められる。撮影者はモニタ１４を見ながら領域移動ボタン１７ｄを操作して好ましい構図となる位置にマーク６２を移動させる。システム制御部１６は領域移動ボタン５２ｄが押されると（ステップＳ３１）、その方向と量に応じて位置データ（ＸＳ，ＹＳ，ＸＥ，ＹＥ）を増減させる（ステップＳ３２）。ステップＳ３２で変更されたデータをマーク発生部６１へ送りそのデータに応じたマークを発生させ、ステップＳ３０へ進みビデオカメラ１１で現在撮像している画像とマーク発生部６１より発生したマーク６２とを合成してモニタ１４に表示させる。ステップＳ３１で領域移動ボタン１７ｄが押されない場合は次のステップへ進む。操作部１７のシャツタボタン１７ａが押されると（ステップＳ４）、その時に撮像している画像を画像記憶部１２に記憶する（ステップＳ５）。次にスイッチ１３を記憶部側に切り換え、これから印刷する画像を撮影者に確認させるために記憶した画像をモニタ１４に表示する（ステップＳ６）。そして操作部１７のプリントボタン１７ｂが押されると（ステップＳ７）、印刷領域内の印刷を行う（ステップＳ８）。
　【００４１】
　ステップＳ８の印刷を図１３で詳細に説明する。ｘ，ｙは画像記憶部１２から画像データを読み出す番地を表す。始めにｘはＸＳ、ｙはＹＳとする（ステップＳ４１、Ｓ４２）。次に番地（ｘ，ｙ）の画像データをビデオをビデオプリンタ１８へ送り印刷する（ステップＳ４３）。そしてｘを１だけ増加し（ステップＳ４４）、ｘ＞ＸＥになったかどうか調べる（ステップＳ４５）。ステップＳ４５でｘ≦ＸＥの時はステップＳ４３へ進みｘを増加する。ｘ＞ＸＥの時はビデオプリンタ１８へ改行信号を送り（ステップＳ４６）、ｙを１だけ増加する（ステップＳ４７）。そしてｙ＞ＹＥになったかどうか調べる（ステップＳ４８）。ステップＳ４８でｙ≦ＹＥのときはステップＳ４１へ進み、ｘをＸＳにリセットし、印刷を続ける。ｙ＞ＹＥのときはビデオプリンタ１８へ印刷終了の信号を送り印刷を終了する。印刷した結果、図１４に示すような画像が得られる。
　【００４２】
　印刷終了後、ビデオプリンタ１８からシステム制御部１７へ印刷終了信号を送り、さらに電源部１５へ信号を送り、各部への電力の供給をストップして（ステップＳ９）終了する。ステップＳ７でプリントボタン１７ｂが押されずに取消しボタン１７ｃが押された場合はステップＳ３０へ進み、ビデオカメラ１１の画像とマーク６２の合成表示を行い取消しボタン１７ｃが押されなかった場合はステップＳ６へ進み、印刷操作待ち状態となる（ステップＳ１０）。
　【００４３】
　なお、マーク発生部６１、領域移動ボタン１７ｄは使用せずに印刷領域の位置データは固定してモニタ１４の画面の表面にそれぞれの印刷サイズの印刷領域を示す固定のマークを記して、簡単な構成にして写真の構図を確認できるようにしてもよい。
　【００４４】
　又、撮影の際、操作部１７のシャッタボタン１７ａが押されると、システム制御部１６内に有するカウンタでカウントして決められた値になると記憶開始信号を発生し、一定時間後に現在撮像している画像を記憶するシステム制御部１６で制御して正しい姿勢で撮影できるようにしてもよい。
　【００４５】
　又、印刷領域の位置データの他にサイズデータを入力し、印刷サイズを変えるようにしても良い。
　【００４６】
　このように利用者は写真が印刷される前に撮影結果が確認できるので、写真代やプリント紙の無駄がなくなる、気に入った写真が得られる。さらに、移動可能な印刷領域マークがモニタ上に表示されるので、写真の構図が確認でき、被写体を動かさずに写真の構図が変えられる。
　【００４７】
　次に本発明の別の実施例について説明する。
　【００４８】
　図１５は、本発明の一実施例の電子フォトシステムのブロック構成図である。１１はビデオカメラからなる撮像部、１２はビデオカメラ１１からの被写体情報を記憶するたとえば半導体メモリなどで構成した画像記憶部である。画像記憶部１２は複数画面記憶でき、例えば本実施例では４画面記憶できるものとする。１３はモニタ出力画面切替スイッチ、１４はモニタ、１５は各部に電力供給を行う電源部である。１６は各部の動作を制御するシステム制御部で、ＣＰＵ、ＲＡＭ、ＲＯＭ（図示せず）で構成されている。ＲＡＭはＣＰＵのワークエリアとして用い、ＲＯＭには制御動作の内容やモニタに表示するメッセージデータが書込まれている。１７はシステム制御部１６を操作する操作部で、画像の記憶を開始させるシャッタボタン１７ａと、画像記憶部１２に記憶された４つの記憶画像のうち印刷する記憶画像を指定するための印刷画像選択ボタン１７ｅを持っている。１８はビデオプリンタで、例えばサーマルプリンタ熱により気泡を発生させ、その圧力によりインクを吐出させるバブルジェットプリンタ等である。１９はコイン投入を検知する検知部である。
　【００４９】
　上記構成からなる電子フォトシステムのシステム制御部１６の動作のフローチャートを図１６に示す。コイン探知部１９がコインを探知すると、コイン投入信号をシステム制御部１６に送る（ステップＳ１）。コイン投入信号を受けたシステム制御部１６は電源部１５へ信号を送り、各部に電力の供給を開始する（ステップＳ２）。次に、スイッチ１３をカメラ側に切り換え、ビデオカメラ１１で現在撮像している画像を直接モニタ１４に表示する（ステップＳ３）。操作部１７のシャッタボタン１７ａが押されると（ステップＳ４）、所定時間ビデオカメラ１１の撮像画像を表示し（ステップＳ５０、Ｓ５１）、そして撮像している画像を画像記憶部１２に記憶する（ステップＳ５２）。次に、スイッチ１３を記憶部側に切り換え、撮影者に確認させるために記憶した画像を所定時間中モニタ１４に表示する（ステップＳ５３、Ｓ５４）。そしてシステム制御部１６で画像記憶する度にカウントし、４回カウントしたかどうか、すなわち、４画面記憶したかどうか調べる（ステップＳ５５）。ステップＳ５５において、カウンタが４未満の場合はステップＳ５０へ進み、画像記憶を行いカウンタが４の場合は図１７に示すようにモニタを４分割表示にし、画像記憶部１２に記憶されている４つの画像をモニタに一括表示する（ステップＳ５６）。一括表示されたモニタを見て撮影者は印刷しようとする画像を選択し、操作部１７の印刷画像選択ボタン１７ｃを押す。印刷画像選択ボタン１７ｃが押され、印刷する画像が指定されると、その指定画像を印刷する（ステップＳ５７）。印刷終了後、ビデオプリンタ１８からシステム制御部１７へプリント終了信号を送る。プリント終了信号を受けたシステム制御部１７は電源部１５へ信号を送り、各部への電力の供給をストップさせ（ステップＳ９）、終了する。
　【００５０】
　なお、本実施例では画像記憶部１２は４画面記憶できるものとしたが、４画面に限らず、複数画面の記憶ができるものであればよい。
　【００５１】
　又、一連の撮像、記憶、表示の繰り返し動作の途中の記憶画像表示中に印刷ボタンを押すことにより印刷画像を指定できるようにしてもよい。
　【００５２】
　このように、連続してカメラの撮像画像の記憶と記憶画像の表示を行うことにより利用者はポーズの修正ができるので、良いポーズがとれる。さらに、複数の画像を記憶して一括表示し、利用者が指定した画像を印刷するので、写真代やプリント紙の無駄がなくなる、利用者は複数の画像を比較でき、好ましい写真を選択できる。
　【００５３】
　次に本発明の別の態様の実施例について説明する。
　【００５４】
　図１８は、本発明の別の実施例の画像処理システムのブロック構成図である。１１はカラー画像を撮像し、カラー画像信号を出力するビデオカメラ。１２はビデオカメラ１１からの画像情報を記憶するたとえば半導体メモリなどで構成した画像記憶部、１３はモニタ出力画面切替スイッチ、１４はモニタ、１５は各部に電力供給を行う電源部である。１６は各部の動作を制御するシステム制御部で、ＣＰＵ、ＲＡＭ、ＲＯＭ（図示せず）で構成されている。ＲＡＭはＣＰＵのワークエリアとして用い、ＲＯＭには制御動作の内容やモニタに表示するメッセージデータが書きこまれている。１７はシステム制御部１６を操作する操作部で、画像の記憶を開始させるシャッタボタン１７ａと、記憶した画像の印刷を開始させるプリントボタン１７ｂと、画像を記憶した後、その記憶画像を取り消し、再度撮影待ち状態にさせる取消しボタン１７ｃ、白黒プリントを行うかカラープリントを行うか選択する白黒／カラー選択ボタン１７ｆを持つ。１８はビデオプリンタで、たとえばサーマルプリンタ、熱により気泡を発生させ、その圧力によりインクを吐出させるバブルジェットプリンタ等である。１９はコイン投入を検知する検知部である。
　【００５５】
　７０は画像記憶部１２から読み出されたカラーの画像情報を白黒の画像情報に変換する画像変換部、７１はビデオプリンタ１８にカラー画像を印刷させるか白黒画像を印刷させるかを切換えるためのプリント画像切換スイッチである。
　【００５６】
　上記構成からなる電子フォトシステムのシステム制御部１６の動作のフローチャートを図１９に示す。コイン検知部１９がコインを探知すると、コイン投入信号をシステム制御部１６に送る（ステップＳ１）。コイン投入信号を受けたシステム制御部１６は電源部１５へ信号を送り、電源部１５は各部に電力の供給を開始する（ステップＳ２）。次に、スイッチ１３をカメラ側に切り換え、ビデオカメラ１１で現在撮像している画像を直接モニタ１４に表示する（ステップＳ３）。操作部１７のシャッタボタン１７ａが押されると（ステップＳ４）、その時に撮像している画像を静止画として画像記憶部１２に記憶する（ステップＳ５）。
　【００５７】
　次に、スイッチ１３を記憶部側に切り換え、これから印刷する画像を撮影者に確認させる為に記憶した画像をモニタ１４に表示する（ステップＳ６）。操作部１７のプリントボタン１７ｂが押されると白黒印刷の指示であるかカラー印刷の指示であるかを判断する（ステップＳ６０）。ステップＳ６０で白黒／カラー選択ボタン１７ｆにより白黒が選択されると、システム制御部１６はプリント画像切換スイッチ７１を画像変換部７０側に切り換え、画像変換部７０は画像記憶部１２からのカラー画像情報を白黒画像情報に変換し、この白黒画像情報をビデオプリンタ１８へ出力する（ステップＳ６１）。またステップＳ６０で白黒／カラー選択ボタン１７ｆによりカラーが選択されると、システム制御部１６はプリント画像切換スイッチ７１を直接画像記憶部１２とビデオプリンタ１８が接続されるように、すなわち画像変換部７０と反対側にプリント画像切換スイッチ７１を切り換え、画像記憶部１２からのカラー画像情報を直接ビデオプリンタ１８へ出力させる（ステップＳ６２）。
　【００５８】
　そして、送られてきた画像情報に基づいてカラー又は白黒画像をビデオプリンタ１８にプリントさせる（ステップＳ８）。印刷終了後、ビデオプリンタ１８からシステム制御部１７へ印刷終了信号を送り、さらに電源部１５へ信号を送り、各部への電力の供給をストップして（ステップＳ９）、終了する。ステップＳ７でプリントボタン１７ｂが押されずに、取消しボタン１７ｃが押された場合はステップＳ３へ進み、記憶操作待ち状態となり取消しボタン１７ｃが押されなかった場合はステップＳ６へ進み、印刷操作待ち状態となる（ステップＳ１０）。
　【００５９】
　図２０は図１８を改良したブロック構成図である。図１８と異なる点は画像変換部７０、プリント画像切換スイッチ７１がスイッチ１３の前段に接続されていることである。これにより、白黒／カラー選択ボタン１７ｆで白黒が選択されていると白黒画像がモニタ１４に表示され、カラーが選択されているとカラー画像がモニタ１４に表示される。これにより、カラー及び白黒の画像の印刷が可能となり、利用者の希望に応じた写真を得ることができる。また、モニタにより白黒が印刷されるかカラーが印刷されるか確認することができる。
　【００６０】
　次に本発明の別の態様の実施例について説明する。
　【００６１】
　図２１は本発明の別の実施例のブロック構成図である。１１はモノクロのビデオカメラであり、画像の読み出しに同期して同期信号を発生する。１２〜１９は図１と同様である。７５は回転フィルター、７６はモーター制御部、７７はステッピングモーターである。図２２に回転フィルターの形状を示す。Ｒ，Ｇ，Ｂはそれぞれ赤、緑、青色の透過フィルターが取り付けられた窓で、Ｔは無色透明な窓である。ビデオカメラ１１はこれらの窓を介した像を撮像する。
　【００６２】
　このような構成において、操作部１７上の白黒／カラー選択ボタンで白黒が選択されると、システム制御部１６はモニタ制御部７６へその旨を伝える信号を出力し、モータ制御部７６は回転フィルタ７５のＴの窓がビデオカメラ１１の前にくるようにモータ７７を駆動制御し、回転フィルタをその状態に保ちＴ窓を介して撮像を行わせる（ステップＳ７１、Ｓ７２）。一方、操作部１７上の白黒／カラー選択ボタンでカラーが選択されると、システム制御部１６はモータ制御部７６へその旨を伝える信号を出力する。モータ制御部１６はビデオカメラ１１から出力される同期信号に同期して回転フィルタを順次、Ｒ窓、Ｇ窓、Ｂ窓がビデオカメラ１１の前にくるようにモータ７７を駆動制御する。
　【００６３】
　その結果ビデオカメラ１１により順次Ｒフィルター、Ｇフィルター、Ｂフィルターを介した画像が読み出され（ステップＳ７３、Ｓ７４、Ｓ７５）、システム制御部１６はそれぞれのフィルターを介して得た画像情報を合成してカラー画像を得るべく、得られた各色情報を演算させる（ステップＳ７６）。これにより、白黒とカラーの画像の印刷が可能となり、利用者の希望に応じた写真を得ることができる。また白黒ビデオカメラを用いるので、低コストな画像処理システムが実現できる。
　【００６４】
　次に本発明の別の態様の実施例について説明する。
　【００６５】
　図２５は、本発明の別の実施例を示すブロック構成図である。１１はビデオカメラからなる撮像部、８０は外部ビデオ入力端子、８１はビデオ入力選択切替スイッチ、８２は外部入力端子接続探知部、１２はビデオカメラ１１からの被写体情報を蓄積するたとえば半導体メモリなどで構成した画像記憶部、１３はモニタ出力画面切替スイッチ、１４はモニタ、１５は各部に電力供給を行う電源部、１６は各部の動作を制御するシステム制御部、１７はシステム制御部１６を操作する操作部、１８はプリント出力部であるビデオプリンタ、１９はコイン投入を検知する検知部である。
　【００６６】
　上記構成からなる電子フォトシステムのシステム制御部１６の動作のフローチャートを図２５に示す。コイン検知部１９がコインを探知すると、コイン投入信号をシステム制御部１６に送る（ステップＳ１）。コイン投入信号を受けたシステム制御部１６は電源部１５へ信号を送り、各部に電力の供給を開始する（ステップＳ２）。
　【００６７】
　次に、外部ビデオ入力端子にビデオ入力が接続されているかどうか外部端子接続探知部２２が探知する。外部端子が接続されていると（ステップＳ８１）、ビデオ入力選択切替スイッチ８１を外部ビデオ入力端子８０側に切り替えて、外部ビデオ入力端子８０から画像信号を入力するようにする（ステップＳ８２）。又、ステップＳ８１で外部端子が接続されていないと、ビデオ入力選択切替スイッチ８１をビデオカメラ１１側に切り替えて、ビデオカメラ１１からの画像信号を入力するようにする（ステップＳ８３）。そして、ステップＳ８１〜Ｓ８３において選択された入力画像を表示する（ステップＳ３）。操作部１７のシャッタボタン１７ａが押されると（ステップＳ４）、その時に撮像している画像を静止画として画像記憶部１２に記憶する（ステップＳ５）。
　【００６８】
　次に、スイッチ１３を記憶部側に切り換え、これから印刷する画像を撮影者に確認させる為に記憶した画像をモニタ１４に表示する（ステップＳ６）。操作部１７のプリントボタン１７ｂが押されると（ステップＳ７）、記憶した画像をビデオプリンタ１８により印刷する（ステップＳ８）。印刷終了後、ビデオプリンタ１８からシステム制御部１７へ印刷終了信号を送り、さらに電源部１５へ信号を送り、各部への電力の供給をストップして（ステップＳ９）、終了する。ステップＳ７でプリントボタン１７ｂが押されずに、取消しボタン１７ｃが押された場合はステップＳ３へ進み、記憶操作待ち状態となり取消しボタン１７ｃが押されなかった場合はステップＳ６へ進み、印刷操作待ち状態となる（ステップＳ１０）。
　【００６９】
　尚、図２６に示す様に外部ビデオ入力端子８０に入力ビデオ信号の同期信号を検知すると検知信号を発生させる同期信号検知部８３を設け、システム制御部１６は同期信号検知部８３からの検知信号を受けるとビデオ入力選択スイッチ８１を外部ビデオ入力端子８０側に切り替えるように制御するようにしてもよい。
　【００７０】
　又、外部ビデオ入力端子８０のかわりにビデオテープデッキにして、ビデオテープに録画された画像をプリントするようにしてもよい。
　【００７１】
　このように、フォトブースシステムで撮影した画像以外のものも印刷できるので、利用者の利用範囲が広がる。
　【００７２】
　次に本発明の別の態様の実施例について説明する。
　【００７３】
　図２７は、本発明の別の実施例の画像処理システムのブロック構成図である。１１〜１９は図１と同じである。８５は画像記憶部１２に記憶された画像がブレているか否か判別する判別回路、８６はモニタ１４上にメッセージを表示するために文字を発生する文字発生回路、８７はシステム制御部１６から出力されたメッセージ用の音声信号を増幅する信号アンプ、８８は信号アンプで増幅された音声信号を音声として出力するスピーカである。
　【００７４】
　次に図２８〜図３２を参照してブレ検出部８５による検出方法を説明する。シャッタボタン１７ａが押されるとビデオカメラ１１からの時間ｔ１，ｔ２における映像が画像記憶部１２の第１フィールドＡと第２フィールドＢにそれぞれ記憶されるようシステム制御部１６が制御する。
　【００７５】
　被写体が右上方に移動している時にシャッタボタン１７ａが押された場合、図２８に示すように第２フィールドメモリに記憶される画像は第１フィールドメモリに記憶された画像中の被写体が右上方に移動した画像となる。ここで、そのまま画像記憶部１２に記憶された画像をモニタ１４に出力すると、図２９の様にブレた画像が表示される。又、画像記憶部１２に記憶された画像をプリンタ１８に出力すると、図３０の様にブレた画像が印刷される。
　【００７６】
　この様にブレた画像の印刷は使い物にならないので、第１、第２フィールドメモリに記憶された画像に基づいて動きベクトルを検出しブレた画像が印刷されるおそれがあるか判別する。まず、図３１、図３２に示すように第１フィールドＡ、第２フィールドＢの画像中にｍ＝ｎ×ｎ画素からなるブロックを設定する。
　【００７７】
　そして、第１フィールドＡの注目ブロックＡ内の画素の値Ａｉと第２フィールドＢの注目ブロックＢ内の画素の値Ｂｉから次式により注目ブロックＡと注目ブロックＢとの相関を表す値Ｃを得る。（特公平２−５２９１４参照）
　　Ｃ＝Σｍ１｜Ａｉ−Ｂｉ｜　
　　但し、Σｍ１Ｘｉ＝Ｘ１＋Ｘ２＋Ｘ３＋…＋Ｘｍ−１＋Ｘｍ
　上記の式により、注目ブロックＡと、注目ブロックＡに対応した位置の注目ブロックＢ、及び注目ブロックＢの周囲８ブロックとの相関値Ｃをそれぞれのブロック毎に求め、相関値Ｃの大きさが最小となるブロックの位置を記憶し、前記の第２フィールド中の９ブロックのうちで注目ブロックＢ以外のブロックと注目ブロックＡとの相関値Ｃが最小であった場合、撮影時にブレがあったと判断し、システム制御部１６にブレ検出信号を出力する。又、注目ブロックＢと注目ブロックＡとの相関値Ｃが最小であった場合、相関値Ｃと予め設定されている一定値ＣＢと比較し、Ｃ＞ＣＢのときはブレ検出信号をシステム制御部１６にブレ検出信号を出力する。この注目ブロックＡと第２フィールド中の９ブロックのうち各ブロックとの相関値Ｃを求めてブレを検出する作業を、注目ブロックＡをＡ（０，０）ブロックからＡ（ｌ，ｋ）ブロックまで変えていき、第１フィールドすべてのブロックについて行う。
　【００７８】
　尚、上記動きベクトル検出の演算をするブロックをプリンタの印画範囲のみに行い計算時間を短縮させることも可能である。
　【００７９】
　また、逆に動きベクトルの演算ブロックの整数倍に印画範囲を合わせてプリントすることで無駄のない処理が可能である。
　【００８０】
　次に上記構成からなる電子フォトシステムのシステム制御部１６の動作のフローチャートを図３３、図３４に示す。ステップＳ１〜Ｓ７、Ｓ１０は図３と同様である。ステップＳ７でプリントボタン１７ｂが押されると、前述の記憶画像のブレ検出をブレ検出部８５で行わせる（ステップＳ８５）。ステップＳ８５でブレ検出部８５が記憶画像のブレを検出し、システム制御部１６はブレ検出信号をブレ検出部８５から受けとると、ブレが発生したことを利用者に伝えるべく文字発生回路８６から「ブレがありました。」等のメッセージをモニタ１４に出力させる。また、同時にチャイム音や「ブレがありました。」等の音声を信号アンプ８７を介して、スピーカ８８で出力する（ステップＳ８７）。そして、ブレが有ったことを利用者に伝えた後にプリントボタン１７ｂが押された場合は（ステップＳ８８）、記憶した画像をビデオプリンタ１８により印刷する（ステップＳ８）。印刷終了後、ビデオプリンタ１８からシステム制御部１７へ印刷終了信号を送り、さらに電源部１５へ信号を送り、各部への電力の供給をストップして（ステップＳ９）、終了する。
　【００８１】
　ステップＳ８８でプリントボタン１７ｂが押されなかった場合はステップＳ３へ進み、ブレた画像は印刷せずに再度撮影することができる。
　【００８２】
　またステップＳ８６でブレなしの場合はステップＳ８へ進み通常のプリント動作を行う。
　【００８３】
　このように、撮影時にブレがあった場合、画像をプリントする前に利用者に対し警告するので、撮影に失敗した写真を印刷することがなくなる。
　【００８４】
　次に本発明の別の態様の実施例について説明する。
　【００８５】
　本実施例は図３１、図３２に示した動きベクトル検出の方法を更に発展させて、記憶画像がブレていてもそのブレを補正するようにしたものである。
　【００８６】
　図２７の画像処理システムで前述したように、第１フィールドの各ブロックについて動きベクトル検出を行うと、図３５に示すようなブロック毎の動きベクトルが検出され、ブレがあったブロックが検出できる。ブレ検出部８５は、図３６、図３７に示す様に、第１フィールド中のブレが検出されたブロックの画像情報を第２フィールド中の第１フィールドのブロックに対応する位置に書き込む（図中、１は第１フィールド画像、２は第２フィールド画像を表す。）。この結果、図３８に示す様に第１フィールドの画像はそのままで、第２フィールドの画像はブレが有るブロックに関しては第１フィールドの画像にし、ブレが無いブロックに関しては第２フィールドの画像にするため、ブレをなくした画像を印刷できる。
　【００８７】
　これにより、撮影時にブレがあった場合でも、ブレを補正するので、ブレのない写真を得ることができる。
　【００８８】
　【発明の効果】
　以上説明したように、請求項１記載の本発明によれば、カラー画像を入力する入力手段
を有し、シート上に画像を形成する画像形成装置を制御可能な画像処理システムであって、
、オペレータの選択に従ってカラー画像及び白里画像の何れかを選択する選択手段と、
前記選択手段による
前記画像形成装置により像形成させること無く
前記選択手段による
前記画像形成装置により像形成させること無く
カラー画像及び白黒画像の選択がなされ
させた
前記
　【００８９】
　又、請求項３記載の本発明によれば、カラー画像と白黒画像の出力が可能となるので、利用者は望みの画像を出力することができ、例えばカラーの画像が必要なのに白黒しかできなくて困ってしまうようなことがなくなる効果がある。
　【００９０】
【図面の簡単な説明】
　【図１】
　本発明の実施例の画像処理システムのブロック構成図である。
　【図２】
　実施例の画像処理システムの外観図である。
　【図３】
　図１のシステム制御部１６の動作のフローチャートである。
　【図４】
　図１のシステム制御部１６の別の動作のフローチャートである。
　【図５】
　別の実施例の画像処理システムのブロック構成図である。
　【図６】
　複数の画像処理システムを集中監視する集中監視装置のブロック構成図である。
　【図７】
　図５のシステム制御部１６の動作のフローチャートである。
　【図８】
　図５のプリンタ１８の状態を表す信号を示す図である。
　【図９】
　図５の通信部３１の具体的な回路構成図である。
　【図１０】
　別の実施例の画像処理システムのブロック構成図である。
　【図１１】
　図１０のシステム制御部１６の動作のフローチャートである。
　【図１２】
　モニタ１４に表示された印刷領域のマークを示す図である。
　【図１３】
　図１０における印刷のフローチャートである。
　【図１４】
　図１２に示す領域指定で印刷した結果を示す図である。
　【図１５】
　別の実施例の画像処理システムのブロック構成図である。
　【図１６】
　図１５のシステム制御部１６の動作のフローチャートである。
　【図１７】
　モニタ１４に表示を示す図である。
　【図１８】
　別の実施例の画像処理システムのブロック構成図である。
　【図１９】
　図１８のシステム制御部１６の動作のフローチャートである。
　【図２０】
　別の実施例の画像処理システムのブロック構成図である。
　【図２１】
　別の実施例の画像処理システムのブロック構成図である。
　【図２２】
　図２１の回転フィルター７５の構成図である。
　【図２３】
　図２１における撮像のフローチャートである。
　【図２４】
　別の実施例の画像処理システムのブロック構成図である。
　【図２５】
　図２４のシステム制御部１６の動作のフローチャートである。
　【図２６】
　別の実施例の画像処理システムのブロック構成図である。
　【図２７】
　別の実施例の画像処理システムのブロック構成図である。
　【図２８】
　時間方向の画像の動きを表わす図である。
　【図２９】
　モニタ１４に表示されたブレ画像を示す図である。
　【図３０】
　プリンタ１８で印刷されたブレ画像を示す図である。
　【図３１】
　画像記憶部１２の第１フィールドに記憶された画像を示す図である。
　【図３２】
　画像記憶部１２の第２フィールドに記憶された画像を示す図である。
　【図３３】
　図２７のシステム制御部１６の動作のフローチャートである。
　【図３４】
　図２７のシステム制御部１６の動作のフローチャートである。
　【図３５】
　検出された動きベクトルを示す図である。
　【図３６】
　ブレ修正後の第１フィールドの画像を示す図である。
　【図３７】
　ブレ修正後の第２フィールドの画像を示す図である。
　【図３８】
　ブレ修正後に印刷された画像を示す図である。
　【符号の説明】
　１１　ビデオカメラ
　１２　画像記憶部
　１４　モニタ
　１６　システム制御部
　１８　ビデオプリンタ
　７０　画像変換部
　７１　白黒・カラー切り換えスイッチ
　７５　色分解フィルター
　８０　外部画像入力端子
　８５　ブレ検出部
　８８　報知スピーカー